(57)【特許請求の範囲】
【請求項１】
紙葉類に記載された区分情報を読取手段で読み取って生成した画像データ、当該画像データから文字認識した結果のスコアの高い上位から複数順位の区分先とそのスコアの情報、及び認識不可の画像データについて教示された区分情報を取得する情報取得手段と、
所定期間内の前記それぞれの情報に基づいて、区分先毎に認識率に関連した情報を提示する認識率処理手段と、
前記スコアを構成するパラメータ値を変更した新たなパラメータ値を取得する変更パラメータ値取得手段と、
前記変更したパラメータ値を用いて前記画像データに対する文字認識処理のシミュレーションを実行するシミュレーション実行手段と、
このシミュレーションの結果で得られた新たな区分情報と、元の区分情報との相違する内容を表す差分リストを生成して提示すると共に、このシミュレーション結果を受け入れるか否の入力をユーザに促す差分リスト提示手段と、
ユーザよりシミュレーション結果を受け入れる旨の入力を得た際、前記パラメータ値を前記新たなパラメータ値に変更するパラメータ変更手段と
を備えたことを特徴とする集中情報処理装置。
【請求項２】
前記認識率に関連した情報には、区分先毎に、前記画像データから認識できた件数と、認識不可のため教示された件数とを含むことを特徴とする請求項１に記載の集中情報処理装置。
【請求項３】
前記差分リストには、前記画像データと、この差分リストに含まれる画像データに基づいてユーザが教示した区分情報とを含むことを特徴とする請求項１に記載の集中情報処理装置。
【請求項４】
前記差分リストには前記情報取得手段が取得した元の区分情報を更に含み、
前記差分リストの前記元の区分情報とユーザが教示した前記区分情報とが異なるときは前記元の区分情報は誤読の情報であると判断する誤読判断手段を更に備えたことを特徴とする請求項３に記載の集中情報処理装置。
【請求項５】
紙葉類区分機とビデオコーディングシステムと集中情報処理装置とを有する集中情報処理システムにおいて、
前記集中情報処理装置は、
前記紙葉類区分機とビデオコーディングシステムとから、紙葉類に記載された区分情報を前記紙葉類区分機の読取手段で読み取って生成した画像データ、当該画像データから前記紙葉類区分機の読取手段の読取り結果に基づいて文字認識した結果のスコアの高い上位から複数順位の区分先とそのスコアの情報、及び認識不可の画像データについてビデオコーディングシステムで教示された区分情報を取得する情報取得手段と、
所定期間内の前記それぞれの情報に基づいて、区分先毎に認識率に関連した情報を提示する認識率処理手段と、
前記スコアを構成するパラメータ値を変更した新たなパラメータ値を取得する変更パラメータ値取得手段と、
前記変更したパラメータ値を用いて前記画像データに対する文字認識処理のシミュレーションを実行するシミュレーション実行手段と、
このシミュレーションの結果で得られた新たな区分情報と、元の区分情報との相違する内容を表す差分リストを生成して提示すると共に、このシミュレーション結果を受け入れるか否の入力をユーザに促す差分リスト提示手段と、
ユーザよりシミュレーション結果を受け入れる旨の入力を得た際、前記パラメータ値を前記新たなパラメータ値に変更するパラメータ変更手段と、
前記新たなパラメータ値を前記紙葉類区分機に出力するパラメータ値出力手段と
を備えたことを特徴とする集中情報処理システム。
【請求項６】
前記差分リストには、前記画像データと、この差分リストに含まれる画像データに基づいてユーザが教示した区分情報とを含むことを特徴とする請求項５に記載の集中情報処理システム。
【請求項７】
前記差分リストには前記情報取得手段が取得した元の区分情報を更に含み、
前記差分リストの前記元の区分情報とユーザが教示した前記区分情報とが異なるときは前記元の区分情報は前記紙葉類区分機の誤読の情報であると判断する誤読判断手段を更に備えたことを特徴とする請求項６に記載の集中情報処理システム。
【請求項８】
前記紙葉類区分機と前記ビデオコーディングシステムとを有する紙葉類処理システムを複数備え、前記集中情報処理装置は、それぞれの紙葉類処理システムと前記情報及びデータの授受を行うことを特徴とする請求項５に記載の集中情報処理システム。
【発明の詳細な説明】
【技術分野】
【０００１】
本発明は、熟練した使用者でなくとも、紙葉類処理システムによる紙葉類上に記載された文字の認識率を容易に向上することのできる集中情報処理装置及び集中情報処理システムに関する。
【背景技術】
【０００２】
現在利用されている紙葉類処理システムには、例えば紙葉類（はがきや封書等の郵便物）に記載された住所、宛名、郵便番号などの宛先情報（区分情報）を、光学式文字読取装置（ＯＣＲ）によって読み取り、紙葉類を区分するものがある。  
この光学的に読み取った文字パターンを対応する文字コードに自動変換する読み取りは、所定の辞書を参照するパターンマッチングなどの画像処理により行われる。
【０００３】
ところで、読み取りの性能を向上させるために、認識に使用する重みパラメータを更新して認識率を向上させる技術として、例えば、特許文献１、特許文献２に記載された手法が知られている  
特許文献１に開示された方法では、候補文字群の中から該当する宛名を取り出すときに用いる知識データベース（辞書類）内のパラメータを調整する。  
特許文献２に開示された方法では、パラメータを更新することで時系列の統計データから特定住所の読み取りを強化する手法を提案している。
【先行技術文献】
【特許文献】
【０００４】
【特許文献１】特開平０９−０５７２０４公報
【特許文献２】特開２００３−０１６２８１号公報
【発明の概要】
【発明が解決しようとする課題】
【０００５】
ところで、このようなパラメータは、種々の情勢の変化やその使用目的の変化に応じて適宜、保守調整することが必要である。これまでは、紙葉類処理システムの使用者が、認識状態を監視してパラメータの更新が必要かどうか、どのパラメータの更新を行うか等を、感と経験に基づいて判断していた。しかしながら、どのパラメータを更新すれば良いかの判断が適切であったとしても、そのパラメータをどの程度変更すれば適当かの判断が難しい。
【０００６】
更に、従来の方式では紙葉類処理システムで認識できなかったケースを抽出することは可能であるが、紙葉類処理システムで誤って認識する誤読のケースを抽出することはできなかった。そのため、使用者が更新したパラメータによって認識できないケースが減少できた場合であっても、パラメータに不適当な値を設定することによって誤読が極端に増加するなどの悪影響が発生する場合もあった。
【０００７】
本発明は、かかる事情に鑑みてなされたものであって、熟練した使用者でなくとも、紙葉類処理システムによる紙葉類に記載された文字の認識率を容易に向上することのできる集中情報処理装置及び集中情報処理システムを提供することを目的とする。
【課題を解決するための手段】
【０００８】
上記課題を解決するための本発明は、紙葉類に記載された区分情報をＯＣＲで読み取って生成した画像データ、当該画像データから文字認識および宛先データベースとマッチングした結果のスコアの高い上位から複数順位の区分先とそのスコアの情報、及び認識不可の画像データについて教示された区分情報を取得する情報取得手段と、所定期間内の前記それぞれの情報に基づいて、区分先毎に認識率に関連した情報を提示する認識率処理手段と、前記スコアを構成するパラメータ値を変更した新たなパラメータ値を取得する変更パラメータ値取得手段と、前記変更したパラメータ値を用いて前記画像データに対する文字認識処理のシミュレーションを実行するシミュレーション実行手段と、このシミュレーションの結果で得られた新たな区分情報と、元の区分情報との相違する内容を表す差分リストを生成して提示すると共に、このシミュレーション結果を受け入れるか否の入力をユーザに促す差分リスト提示手段と、ユーザよりシミュレーション結果を受け入れる旨の入力を得た際、前記パラメータ値を前記新たなパラメータ値に変更するパラメータ変更手段とを備えた集中情報処理装置である。
【０００９】
また本発明は、紙葉類区分機とビデオコーディングシステムと集中情報処理装置とを有する集中情報処理システムにおいて、
前記集中情報処理装置は、前記紙葉類区分機とビデオコーディングシステムとから、紙葉類に記載された区分情報を前記紙葉類区分機で読み取って生成した画像データ、当該画像データから前記紙葉類区分機で文字認識した結果のスコアの高い上位から複数順位の区分先とそのスコアの情報、及び認識不可の画像データについてビデオコーディングシステムで教示された区分情報を取得する情報取得手段と、所定期間内の前記それぞれの情報に基づいて、区分先毎に認識率に関連した情報を提示する認識率処理手段と、前記スコアを構成するパラメータ値を変更した新たなパラメータ値を取得する変更パラメータ値取得手段と、前記変更したパラメータ値を用いて前記画像データに対する文字認識処理のシミュレーションを実行するシミュレーション実行手段と、このシミュレーションの結果で得られた新たな区分情報と、元の区分情報との相違する内容を表す差分リストを生成して提示すると共に、このシミュレーション結果を受け入れるか否の入力をユーザに促す差分リスト提示手段と、ユーザよりシミュレーション結果を受け入れる旨の入力を得た際、前記パラメータ値を前記新たなパラメータ値に変更するパラメータ変更手段と、前記新たなパラメータ値を前記紙葉類区分機に出力するパラメータ値出力手段とを備えた集中情報処理システムである。
【発明の効果】
【００１０】
この発明の集中情報処理装置及び集中情報処理システムによれば、熟練した使用者でなくとも、紙葉類処理システムによる紙葉類に記載された文字の認識率を容易に向上することができる。
【図面の簡単な説明】
【００１１】
【図１】本発明の実施形態に係る集中情報処理システムの概略構成を示すブロック図。
【図２】集中情報処理装置の概略の動作手順を示すフロー図。
【図３】宛先別に認識された結果を示す図。
【図４】宛先別重みパラメータファイルの内容を例示する図。
【図５】重みパラメータ変更設定画面を示す図。
【図６】シミュレーションの過程を説明するための図。
【図７】差分情報表示画面を示す図。
【図８】宛先別認識変化表示及び宛先別誤読変化表示を示す図。
【発明を実施するための形態】
【００１２】
以下、各図を参照しつつ、本実施の形態の集中処理システムについて説明する。なお、以下の説明では、紙葉類を郵便物、区分情報を宛先情報、区分先を宛先とする形態を開示しているが、本願発明はこの実施例に限定されるものではない。
【００１３】
図１は、本発明の実施形態に係る集中情報処理システムの概略構成を示すブロック図である。集中情報処理システムには、集中情報処理装置１、入出力装置２、通信路３及び郵便物処理システム４が含まれている。そして、郵便物処理システム４は、郵便区分機５及びビデオコーディングシステム（ＶＣＳ）６を備えている。
【００１４】
集中情報処理装置１は、郵便区分機５及びビデオコーディングシステム６から通信路３を介して郵便物の処理情報を取得し、その処理情報に基づいてユーザによるパラメータの調整を支援する。入出力装置２は、集中情報処理装置１に対してユーザの指示を入力し、集中情報処理装置１からの出力内容を表示する。
【００１５】
郵便区分機５は、はがきや封書等の郵便物上に記載された宛名あるいは郵便番号を光学式文字読取装置（ＯＣＲ）の認識部によって読み取り、この読み取った宛名あるいは郵便番号に対応する区分情報によって郵便物を郵便番号毎にあるいは配達区域毎に区分処理する。
【００１６】
郵便区分機５が宛名あるいは郵便番号を読み取れなかった郵便物、すなわち宛名認識に失敗した郵便物は、区分処理においてリジェクトされる。リジェクト郵便物の全体画像が、郵便区分機５からビデオコーディングシステム６に送られる。ビデオコーディングシステム６は、リジェクトされた順番に全体画像をビデオコーディングシステム６の表示部（不図示）に表示する。
【００１７】
オペレータは、ビデオコーディングシステム６の表示部に表示されたリジェクト郵便物の宛名画像（ＯＣＲで読み取った原画像）を目視しながら、郵便区分機５で読み取れなかった宛名あるいは郵便番号をすべて手入力（コーディング処理）する。オペレータが入力した宛名あるいは郵便番号に対応する区分情報によって、郵便区分機５は郵便物を機械区分処理する。
【００１８】
集中情報処理装置１は、入出力インターフェース１０、送受信処理部１１、認識率処理部１２、重みパラメータ処理部１３、差分情報処理部１４、集計処理部１５及び情報処理データベース２０を備えている。  
入出力インターフェース１０は、入出力装置２、郵便物処理システム４との間での情報授受を行うためのインターフェースである。送受信処理部１１は、郵便物処理システム４から情報を受信して蓄積し、また郵便物処理システム４に集中情報処理装置１での処理結果を送信する。認識率処理部１２は、郵便物処理システム４での認識処理結果のデータを取得して、認識率などの統計データを算出する。重みパラメータ処理部１３は、重みパラメータを変更した場合の認識処理をシミュレーションする。差分情報処理部１４は、重みパラメータの変更に伴う認識結果の変化内容（差分）を抽出する。集計処理部１５は、重みパラメータの変更結果を集計して編集する。情報処理データベース２０は、上記各部の動作に関連したデータを記憶する。
【００１９】
なお、図１に示すシステムの構成は、以下に説明する各処理が集中情報処理装置１において動作すると想定した場合の構成である。従って、集中情報処理装置１の機能を郵便区分機５またはビデオコーディングシステム６に搭載しても良く、あるいはそれらの機能を分散して搭載しても良い。本実施の形態では、図１の構成に基づいて説明する。
【００２０】
図２は、集中情報処理装置１の概略の動作手順を示すフロー図である。  
ステップＳ０１、Ｓ０２において、集中情報処理装置１は、郵便区分機５及びＶＣＳ６からそれぞれのデータを受信する。  
郵便区分機５から送信されるデータとしては、各郵便物をＯＣＲで読取った画像データ、各郵便物を特定するＩＤ、各画像データごとにスコアの高い上位から複数順位までの認識結果などがある。一方、ＶＣＳ６から送信されるデータとしては、各郵便物を特定するＩＤ、オペレータが手入力で教示した（コーディング処理した）住所結果などがある。ここで、ＩＤは画像データに固有に割り当てられた識別情報である。画像データは、ＯＣＲで読取った全体データでなくとも、住所領域部分のみを抽出したものなど、オペレータがそれを見て正解住所を判断できる情報が入っていれば良い。また、画像は圧縮していても良い。
【００２１】
郵便区分機５及びＶＣＳ６からのデータ送信タイミングは同時である必要は無い。それぞれから送信されたデータは、各郵便物を特定するＩＤによって対応付けられる。ただし、郵便区分機５あるいはＶＣＳ６に一時的にデータを蓄えて置き、全てのデータを一括で受信しても良い。
【００２２】
ステップＳ０３において、集中情報処理装置１の送受信処理部１１は、送信された各データをＩＤ毎のデータにまとめて一定期間情報処理データベースに蓄積する。なお、蓄積期間に関しては、蓄積容量と、宛先のばらつきへのロバスト性との観点を考えて、例えば、１週間や１カ月など任意に決めてよい。また、年賀、お歳暮など季節的な郵便物については、期間を定めて区別して蓄積しても良い。さらに、送受信対象である郵便物処理システムが複数存在するときは、その対象毎に蓄積しても良い。
【００２３】
続いて、その蓄積されたデータについて情報処理を開始する。ステップＳ０４において、認識率処理部１２は、郵便物の宛先毎の認識率を計算する。図３は、宛先別に認識された結果を示す図である。ここで、「区分数」は、郵便区分機５が宛先を認識した件数である。「ＶＣＳ数」は、郵便区分機５が宛先を認識できずリジェクトし、ＶＣＳ６でのコーディング処理によってこの宛先に割り付けられた件数である。この結果によれば、宛先が「青森」の認識率は１５００／１５３０＝９８％、宛先が「岩手」の認識率は１０００／１０８０＝９２．６％となる。そして、認識率処理部１２は、図３に示す認識結果及び算出した認識率を入出力装置２に表示する。
【００２４】
なお、図３では宛先を県単位として区別しているが、住所階層のどこを用いても良い。区分してまとめる単位は、オペレータが任意に指定することができる。例えば、住所階層のうち、任意の一階層を指定しても良く任意の複数階層を指定しても良いし、処理局の近隣住所だけを細かい宛先単位に指定して遠方の住所を上位住所階層でまとめて指定するなど混合して指定してもよい。また、宛先に限られず郵便番号単位でも良く、氏名単位でも良い。
【００２５】
ステップＳ０５において、オペレータは表示された結果から、宛先別重みパラメータの修正が必要かどうかを判断する。本実施の形態の文字認識においては複数の候補となった文字はそれぞれ点数化（スコア）され、このスコアに基づいて認識結果の文字が決定される。読み取りの性能を向上させるために、郵便物処理システムには、例えば、それぞれの住所の認識スコアなどを重みづけして補正する仕組み（パラメータ）が設けられている。宛先別重みパラメータは、宛先についてのパラメータである。図３の結果から、「岩手」が宛先の場合にＶＣＳ６に回される比率が高い（認識率が低い）ので、「岩手」の宛先別重みパラメータを調整対象として選別したいなどの判断がなされる。
【００２６】
なお、オペレータに提示する表示内容は、調整対象の絞り込み作業を支援できるのであれば、図３の内容に限られず、認識率自体を算出して折れ線グラフで表示しても良く、また認識率順にソートしても良い。また、オペレータはこのような統計情報から判断するだけでなく、感覚的に特定の宛先への誤読を制限したいなどの理由から修正候補を絞っても良い。さらに、オペレータの判断によらず、認識率の低い少なくとも一つの候補を自動的に採用しても良い。
【００２７】
ステップＳ０５でＹｅｓの場合、すなわち宛先別重みパラメータの修正が必要と判断された場合は、次のステップの処理を実行する。そうでない場合（ステップＳ０５でＮｏの場合）は調整処理は不要のためこの処理を終了する。このとき、各パラメータは変更されず元の値を維持する。なお、修正が必要なパラメータを自動で抽出する場合は、認識率が閾値以下のものを選択するようにしても良い。
【００２８】
続いて、ステップＳ０６において、重みパラメータ処理部１３は、宛先別重みパラメータを変更して、文字認識シミュレーションを実施する。図４は、宛先別重みパラメータファイルの内容を例示する図である。この宛先別重みパラメータは、トータルスコアを算出する際に使用する各要素データの内の１つである。上述のように、宛先を県単位として区別しているが、住所階層のどこを用いても良く、宛先に限られず郵便番号単位でも良く、氏名単位でも良い。従って、集中情報処理装置１の情報処理データベース２０には、これらのパラメータが格納されている。なお、これらのパラメータは一種類だけでなく、例えば、上述の年賀、お歳暮などの季節的な郵便物については別のパラメータを用いても良い。
【００２９】
この重みパラメータを変更した新たな重みパラメータを用いた文字認識シミュレーション結果に基づいて、宛先別のスコアに最終的な補正が行われる。本実施の形態では各宛先の認識スコアに重みパラメータを加算して最終認識結果とする単純加算方式を基にして説明を進める。
【００３０】
上述のように、宛先が「岩手」の場合の現状の認識率が低いため、岩手の宛先別重みパラメータを調整する場合では、重みパラメータを現行値（例えば８０）から、より大きい数値（例えば９０）に変更する。この変更は次のような手順で実行する。
【００３１】
重みパラメータ処理部１３は、図５に示す重みパラメータ変更設定画面２５を入出力装置２に表示する。この重みパラメータ変更設定画面２５には、修正対象入力欄２６、現行重み表示欄２７、新設定重み入力欄２８及びＳＩＭ実行ボタン２９が設けられている。
【００３２】
オペレータは、修正対象入力欄２６に修正する宛先を入力する。すると、重みパラメータ処理部１３は、宛先別重みパラメータファイルを検索して、入力された宛先に設定されている重みパラメータ値を現行重み表示欄２７に表示する。また重みパラメータ処理部１３は、宛先別重みパラメータファイルの内容（図４）も併せて表示する。
【００３３】
オペレータは、表示された宛先別重みパラメータファイルの内容を参照して、他の宛先のパラメータ値と比較し、新たな重みパラメータ値を新設定重み入力欄２８に入力する。次に、オペレータがＳＩＭ実行ボタン２９を押下すると、重みパラメータ処理部１３は、新たな重みパラメータ値を用いてシミュレーションを実行する。  
なお、図５に示す重みパラメータ変更設定画面２５は、複数の宛先について、重みパラメータを一度に変更できるように構成しても良い。
【００３４】
図６は、シミュレーションの過程を説明するための図である。上の図は郵便区分機５による文字認識処理結果を表示し、下の図は変更後パラメータを用いたシミュレーション結果を示している。  
郵便区分機５による文字認識処理結果は、ステップＳ０１において説明した、郵便区分機５から送信されるデータであり、ＩＤごとのスコアの高い上位から複数順位までの宛先認識結果、として取得されている。図６に示す例では、ある郵便物の郵便区分機５による認識結果が、「１位：青森１１５点」、「２位：秋田１１３点」、「３位：岩手１１２点」で、「最終認識出力：青森」のようになっている。すなわち、このＩＤの画像では、宛先を「青森」、「秋田」、「岩手」と認識したときのスコアがそれぞれ「１１５点」、「１１３点」、「１１２点」であるため、一番スコアの高い「青森」を認識結果として採用したことを表している。
【００３５】
これに対して、上述の調整で「岩手」の重みパラメータ値を１０加算した。重みパラメータによる補正が単純加算方式であった場合には、シミュレーション結果は、「１位：岩手１２２（＝１１２＋１０）点」、「２位：青森１１５点」、「３位：秋田１１３点」となり、「最終認識出力：岩手」と出力される。
【００３６】
この例で示す重み単純加算方式のように、スコアのみに対して補正処理すれば良いパラメータを変更する場合は、シミュレーションには認識処理そのものは不要であり、複数順位の結果から最終認識結果を選定する処理のみが必要となる。なお、最終認識結果を選定する処理では、１位の認識スコアが１００以上であること、２位とのスコア差が２以上あることなどの条件の下で、最終認識結果として「岩手」を選定した。しかし、この選定処理は郵便区分機５での選定処理と同じアルゴリズムを実行しても良い。  
なお、本実施の形態では、重みパラメータの値を＋１０したが、この重み変更量が大きいと文字認識の精度低下につながる恐れもある。そこで、重みパラメータの変更量を元の値の例えば±２０％以内とするなどの制限を設けても良い。
【００３７】
ステップＳ０７において、差分情報処理部１４は、元のＯＣＲ結果と、パラメータ修正後の結果を比較して認識結果が異なった部分（差分）のみをリストアップする。  
そして、上述した１枚の画像に対する差分出力処理を、郵便区分機５からの受信した全ての結果データに対して繰り返し実施して、パラメータ変更により最終結果が異なった画像をリストアップする。なお、差分情報処理部１４は、差分が発生した場合には、対象の画像とそれに伴うＩＤとを記憶もしくは記録する。
【００３８】
続いて、ステップＳ０８において、差分情報処理部１４は、発生した差分の内容のリストを画像付きで入出力装置２に表示する。図７は、差分情報表示画面３０を示す図である。差分情報表示画面３０には、差分画像、判定結果などのリストが表示される差分リスト表示部３１、集計ボタン３２、認識数表示欄３３、誤読数表示欄３４、ＯＫボタン３５及びＮＧボタン３６が設けられている。
【００３９】
差分リスト表示部３１の表示内容について説明する。  
「ＳＩＭ差分画像」とある部分の列には、ステップＳ０７の処理で記憶もしくは記録した画像が表示される。「元結果」とある部分の列には、郵便区分機５が処理した最終結果出力、すなわち図６の上段の「最終認識出力」同じ内容を表す情報が表示される。宛先が特定できなかったものは「ＲＥＪ」と表示しているが、認識できなかったという情報が分かれば特にこの文字列「ＲＥＪ」を使用しなくても良く、またセルを着色することで区分しても良い。「新結果」とある部分の列には、重みパラメータを変更した際の最終結果出力、すなわち図６の下段の「最終認識出力」同じ内容を表す情報が表示される。この列の表示も「元結果」での表示と同様に、宛先が特定できなかったものは「ＲＥＪ」として表示する。
【００４０】
「正解」とある部分の列には、その郵便物の正解となる宛先が表示される。この部分は、オペレータが入出力装置２から手入力した情報である。すなわち、オペレータは、「ＳＩＭ差分画像」に表示された画像を参照して宛先を読取って入力する。この際、差分情報処理部１４は、ＶＣＳ６から送信されたコーディング処理結果を自動で採用しても良い。そうすることで、オペレータによる教示作業が効率化される。既にＶＣＳ６では人間の手によって、画像を見ながら正解の宛先を入力しており、差分画像リストに表示される画像のＩＤと一致するＩＤのコーディング処理結果を自動選別することで、「正解」に反映させることができる。既に「正解」に反映されている欄（セル）に関しては、そのセルに色付けして分かりやすくしたり、文字列を入力不能にしたり、表示を行わないようにしても良い。
【００４１】
ステップＳ０９からステップＳ１０には、自動でＶＣＳ６の結果を反映する処理手順を記載している。  
差分リスト表示部３１にＶＣＳ６で正解が教示されている画像がある場合（ステップＳ０９でＹｅｓ）、ステップＳ１０において、差分情報処理部１４は、該当する画像の正解表示部分に自動でＶＣＳ結果を反映する。  
一方、ＶＣＳ６で答えが入力されているものは、郵便区分機５において宛先が特定できなかったものだけである。従って、郵便区分機５において認識がなされていたがそれが誤っていた場合、すなわち誤読が発生していた場合は、同じく「ＳＩＭ差分画像」に表示された画像を参照して、オペレータが正解を入力することになる。
【００４２】
ステップＳ１１からステップＳ１２には、オペレータによる正解入力の処理手順を記載している。  
差分リスト表示部３１の正解欄に情報が入力されていないものがある場合（ステップＳ１１でＹｅｓ）、ステップＳ１２において、オペレータは、画像を見ながら正解を手入力する。差分情報処理部１４は、この手入力のＧＵＩとして操作を支援する。  
「正解」欄において点線円で括っている宛名は、オペレータが画像を見ながら入力した内容である。
【００４３】
次に、差分情報処理部１４は、「判定」欄の内容を「元結果」と「新結果」とを比較して最終結果がどう変わったかを表示する。「判定」の矢印の元にあたる部分が「元結果」と「正解」との比較をした内容で、矢印の先にあたる部分が「新結果」と「正解」との比較をした内容が表示されている。  
矢印の元にあたる部分の判定方法としては、「元結果」もしくは「新結果」が「ＲＥＪ」となっていた場合には判定は「ＲＥＪ」となり、「元結果」及び「新結果」が「ＲＥＪ」以外の文字列であって、「元結果」と「正解」とが異なる場合には「誤読」となり、一致する場合には「正解」となるようなものでよい。
【００４４】
なお、差分情報表示画面３０に不図示の操作ボタンを設けて、差分リスト表示部３１の表示に対して、指定文字列での抽出機能や指定順序に従ったソート機能などを実現しても良い。これによって、差分情報表示画面３０に対する作業の効率化が図られるので推奨できる。  
また、差分情報表示画面３０に不図示の操作ボタンを設けて、オペレータの操作によって、「判定」の内容が特定のもの、例えば、「Ａ→Ｂ」と表されるものを抽出して編集表示しても良い。
【００４５】
差分画像リスト全てのセルに対して正解が入力でき、１枚ごとの判定内容が全て出力されたときは、オペレータは、集計ボタン３２を押下する。ステップＳ１３において、集計処理部１５は、差分リストの全ての新旧結果を正解と比較して認識結果がどう変わったかを集計して表示する。集計処理部１５は、認識数表示欄３３にパラメータ変更前後での正解の増減数を表示し、誤読数表示欄３４にパラメータ変更前後での誤読の増減数を表示する。運用上効果的であれば、これらの値から認識率と誤読率を求めて、求めた認識率と誤読率で表示しても良い。
【００４６】
また、特定の宛先の書状を誤読すると配達遅延や無駄なコストが発生するので極力避けるように調整したいなどの判断が必要になる場合がある。そこで、宛先別認識変化表示や宛先別誤読変化表示などを併せて行うことも可能である。図８は、宛先別認識変化表示及び宛先別誤読変化表示を示す図である。
【００４７】
図８の上側に認識成功数と認識成功率の宛先別変化表示を示し、下側に誤読数と誤読率の宛先別変化表示を示している。また、棒グラフ部分は宛先ごとの認識数もしくは誤読数の変化を示し、折れ線グラフ部分は宛先毎の認識率もしくは誤読率の変化を示している。  
図８では郵便物に書かれている宛先別に表示したが、運用によっては誤読したＳＩＭ認識最終結果出力別に分けることも可能である。例えば、遠方の住所に誤読してしまうと困るような場合はこの分け方が効率的な場合がある。また、誤読宛先項目「岩手」などを選択すると、「岩手」宛の書状を誤読した画像群を表示するなどの機能を付加すると、更に誤読要因などを分析することも可能となる。
【００４８】
ここまでの集計および表示作業で、シミュレーション結果が全体として満足いくものであると、オペレータが判断した場合（ステップＳ１４でＹｅｓ）には、オペレータは、ＯＫボタン３５を押下する。ステップＳ１５において、集計処理部１５は、変更後の結果を採択し、正式な宛先重みパラメータとして登録する。変更後の結果が満足できない場合（ステップＳ１４でＮｏ）には、再度、宛先別重みパラメータの修正が必要かどうかを判断する手順（ステップＳ０５）から繰り返して実行する。
【００４９】
また、ステップＳ１５において、最終的に登録されたパラメータが更新された場合には、送受信処理部１１は、郵便区分機５に変更後のパラメータを配信する。このパラメータ配信後は、更新後のパラメータを元に郵便区分機５が稼働することとなる。  
なお、変更後パラメータの配信に関しては、集中情報処理装置１が郵便物処理システムと離れた場所に設けられている場合には、リモート状態で配信されることも可能であり、通信方式は問わない。また、最初に区分機から集中情報処理システムへと配信されるデータを期間で分けることにより、年賀時期用と通常時期用で別の宛先別重みパラメータを作成してそれぞれの時期で稼働させることもできるし、同配信データの収集時間を朝と夜に分けて蓄積することでそれぞれの処理局の運用に適した宛先別重みパラメータを作成することも可能となる。
【００５０】
なお、本実施の形態では、独立した集中情報処理装置１により処理を実行したが、郵便区分機５とＶＣＳ６が保有するデータを蓄積できる環境であれば、独立した集中情報処理装置１を設けなくとも良い。例えば、集中情報処理装置１のシミュレーション作業部分は郵便物処理システム４のオペレーションパネルからの操作で実施しても良く、郵便物処理システム４のオフライン作業としてパラメータ変更を実施しても差し支えない。また、本実施例のパラメータ変更作業が完了した後は、蓄積したデータは部分的に答えを教示済みのため再利用しても良く、最新の郵便物数などで集計を行うために破棄しても良い。
【００５１】
なお、上述の実施の形態では、集中情報処理装置１は、一つの郵便物処理システムと情報授受を行ったが、複数の郵便物処理局に設けられた複数の郵便物処理システムと通信回線を介して遠隔で情報授受を行うようにしても良い。  
またその際、郵便物の集配時刻が地域によって異なっている場合がある。従って、集中情報処理装置１がデータを収集した時刻（時間帯）によって、異なるファイルにパラメータの値を格納し、かつそのパラメータの値を別々に管理するようにしても良い。  
また、上述の実施の形態では、集中情報処理装置１と郵便物処理システムとは通信路によってオンラインで情報授受を行ったが、情報授受を記録媒体を介してオフラインで行うようにしても良い。
【００５２】
[発明の効果]  
以上説明した実施の形態によれば、種々の効果を奏することができる。
【００５３】
（１）紙葉類区分機およびビデオコーディングシステムの認識結果や教示結果を利用しながら、認識処理自体を行わずに変更後の影響を確認しつつ、認識結果に関わるパラメータを変更し、認識精度を向上できる。  
（２）パラメータ変更の影響確認の際には、結果の差分が出る画像とそれに関する情報だけを表示することで、調整確認の際に不要となる画像を確認しなくて済むため、作業時間の短縮効果も備える。さらに、差分画像を見ながら調整できるため、外国などの遠方への誤読を避けるように調整するなど、使用者の運用に細かくカスタマイズできる効果もある。  
（３）リモートでの調整も行えるようになることで、オペレータが現地に帯同せずとも遠隔でそれぞれの紙葉類区分機をカスタマイズできるようにすることも可能となっている。  
（４）紙葉類区分機側で認識できたデータも取得することから、紙葉類区分機側で誤読している対象についても調整による削減効果が確認でき、実際の誤読削減も可能となる。
【００５４】
なお、上述の各実施の形態で説明した機能は、ハードウェアを用いて構成するに留まらず、ソフトウェアを用いて各機能を記載したプログラムをコンピュータに読み込ませて実現することもできる。また、各機能は、適宜ソフトウェア、ハードウェアのいずれかを選択して構成するものであっても良い。
【００５５】
尚、本発明は、上記実施形態そのままに限定されるものではなく、実施段階ではその要旨を逸脱しない範囲で構成要素を変形して具体化できる。  
上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００５６】
１…集中情報処理装置、２…入出力装置、３…通信路、４…郵便物処理システム、５…郵便区分機、６…ビデオコーディングシステム、１０…入出力インターフェース、１１…送受信処理部、１２…認識率処理部、１３…重みパラメータ処理部、１４…差分情報処理部、１５…集計処理部、２０…情報処理データベース、３０…差分情報表示画面。
【図１】
0005390440.tif 000002
【図２】
0005390440.tif 000003
【図３】
0005390440.tif 000004
【図４】
0005390440.tif 000005
【図５】
0005390440.tif 000006
【図６】
0005390440.tif 000007
【図７】
0005390440.tif 000008
【図８】
0005390440.tif 000009